(57)【要約】【課題】台紙無しラベルを続けて切断し続けても切断不良が発生せずに、良好に台紙無しラベルの切断を行うことのできる切断機構を備えた携帯式台紙無しラベル貼付け機を提供すること。【解決手段】台紙無しラベルの幅方向に往復動する切断コマ７１を採用し、切断コマ７１を操作レバーに連動して作動させることに着目し、台紙無しラベルを移送する移送ローラー１８と、操作レバーの操作により切断コマ７１が台紙無しラベルの幅方向に台紙無しラベルの幅分だけ移動した後に、移送ローラー１８を回転駆動させて前記台紙無しラベルを移送する移送ローラー駆動手段３２、３３と、を備えたことを特徴とする。【選択図】図１０
2013075703.tif 000002
【特許請求の範囲】
【請求項１】
ケーシングを構成する左右一対の側板および該側板に形成したグリップと、
前記グリップとともに握持および解除される操作レバーと、
台紙無しラベルを移送する移送ローラーと、
前記移送ローラーにより移送されてくる前記台紙無しラベルをさらに移送可能な移送用無端ベルトと、
前記移送用無端ベルト上に移送されてくる前記台紙無しラベルの幅方向に往復動することにより前記台紙無しラベルを単葉のラベル片に切断可能な切断コマを備えたバースターブラケットと、
前記バースターブラケットの前記台紙無しラベルの幅方向への往復動を規制する移動規制部材と、
前記操作レバーの握持および解除により前記バースターブラケットを前記台紙無しラベルの幅方向へ往復動させるように、前記バースターブラケットと前記操作レバーとを連動する連動機構と、
前記操作レバーに連動し、前記バースターブラケットの切断コマが前記台紙無しラベルの幅方向に前記台紙無しラベルの幅分だけ移動した後に、前記移送ローラーを回転駆動させて前記台紙無しラベルを移送する移送ローラー駆動手段と、
を備えた携帯式台紙無しラベル貼付け機。
【請求項２】
前記移送ローラー駆動手段は、前記移送ローラーの側面にその中心から放射状に設けられた複数の移送用突起と、前記移送用突起の一つずつと順次係合可能に前記操作レバーに連結した部材に設けられた移送回動用爪とからなり、
前記操作レバーの握持時に前記移送回動用爪が前回係合した前記移送用突起の次の前記移送用突起と係合し、前記操作レバーの解放時に前記移送回動用爪が該係合している前記移送用突起を付勢することにより前記移送ローラーを回転させるように構成されるとともに、
前記移送ローラー駆動手段は、前記操作レバーの握持により、前記バースターブラケットの切断コマが前記台紙無しラベルの幅方向に前記台紙無しラベルの幅分だけ移動した後に、前記移送回動用爪が次の前記移送用突起と係合するように構成された請求項１に記載の携帯式台紙無しラベル貼付け機。
【請求項３】
前記移送ローラー駆動手段の前記複数の移送用突起は、一つ前の前記移送用突起とその次の前記移送用突起との前記移送ローラーの側面の中心の回りに関する間隔が、前記移送回動用爪によって前記移送用突起が付勢されたときに丁度前記ラベル片一枚分だけ前記台紙無しラベルを移送するように前記移送ローラーが回転するような間隔となるように、前記移送ローラーの側面の中心の回りに配置されている請求項２に記載の携帯式台紙無しラベル貼付け機。
【発明の詳細な説明】
【技術分野】
【０００１】
本発明は携帯式台紙無しラベル貼付け機に係るもので、特に帯状の台紙無しラベルを装填して移送し、所望の被貼付け体に貼付け操作を行うための携帯式台紙無しラベル貼付け機に関するものである。
【背景技術】
【０００２】
従来から、携帯式ラベル貼付け機を用いて、各種商品その他の被貼付け体にラベルを貼り付け、商品の価格やその他必要な情報を表示することが行われている。
【０００３】
この携帯式ラベル貼付け機の使用にあたっては、ラベルをロール状に巻いた状態で、携帯式ラベル貼付け機における用紙ホルダーなどの保持部に装填保持するとともに、この用紙ホルダーからラベルを帯状に繰り出して、携帯式ラベル貼付け機内に挿通し、移送ないし印字する。
【０００４】
携帯式ラベル貼付け機に装填するラベルとしては、帯状のラベル基材と、このラベル基材の裏面に設けた粘着剤層と、ラベル基材の表面に設けた剥離剤層と、を有する一方、台紙を持たない台紙無しラベル（いわゆるノンセパ（登録商標）型のラベル）があり、台紙無しラベルは、台紙を持たないことから省資源にも寄与することができる。
【０００５】
ただし、台紙無しラベルは台紙による裏打ちがないことから、その貼付けにあたって、所定のピッチで切断して単葉のラベル片とする必要がある。すなわち、この台紙無しラベルを装填して使用する携帯式台紙無しラベル貼付け機において、機内に移送する帯状の台紙無しラベルを所定ピッチの部分で切断する機構が必要である。
【０００６】
例えば特許文献１には、ラベル剥離紙（台紙）を有しないノンセパ型ラベルの連続体を適宜な長さに切断し、被貼着物に貼り付けるラベル連続体の携帯型切断器（携帯式台紙無しラベル貼付け機）が開示されている。特許文献１に記載された携帯式台紙無しラベル貼付け機では、操作レバーを握ると、操作レバーと連動したスイングアームの先端が下方向に移動し、その先端部位に取付けられたカッターにより、搬送ベルト上を送られてきた台紙無しラベルが個々のラベル片に切断され、切断されたラベル片の表面に表示装置により適宜な文字等が印字される。また一方、操作レバーが握られると、ラチェット送り爪がラチェットホイールに沿って所定ピッチ分移動し、次に操作レバーを解放すると、ギアを介した付勢手段の力によりラチェット送り爪がラチェットホイールを所定ピッチ分回転させる。するとラチェットホイールの回転とともに送りローラ及びピッチ決めローラが回転し、搬送ベルト上を台紙無しラベルが所定ピッチ分搬送されるようになっている。
【０００７】
しかしながら、このとき操作レバーを完全に握らずに、操作レバーの握り操作を途中で止めた場合には、ラベル片に対する印字が例えばかすれた状態となるような不完全な印字状態あるいはまったく印字されないラベル片が発行されてしまうという問題がある。
また、操作レバーの握り操作を途中で止めた場合には、カッターが完全に下まで降りきらないため、台紙無しラベルの切断がなされなかったり、切断が不完全なラベル片が携帯式台紙無しラベル貼付け機から繰り出されることとなり、このような場合には、きちんとラベル貼り付けができないという問題がある。
【０００８】
なおまた、あらかじめ販売促進情報や広告情報などを印刷したラベルを貼り付ける際には、印字部を設けず、操作レバーの操作のみで、ラベルを貼り付けることができるが、このように構成した携帯式台紙無しラベル貼付け機の場合であっても、台紙無しラベルの切断機構については、上記のように、操作レバーの握り操作を途中で止めた場合には、切断不良のラベル片が繰り出され、きちんとラベル貼り付けができないという問題がある。
【先行技術文献】
【特許文献】
【０００９】
【特許文献１】特開平８−１３３２５９号公報
【発明の概要】
【発明が解決しようとする課題】
【００１０】
本発明は以上のような問題に鑑みてなされたもので、たとえ操作レバーの握り操作を途中で止めても切断不良のラベル片が繰り出されることなく、ラベル貼付操作ミスを防止することのできる携帯式台紙無しラベル貼付け機を提供することを課題とする。
【課題を解決するための手段】
【００１１】
本発明は、ケーシングを構成する左右一対の側板および該側板に形成したグリップと、前記グリップとともに握持および解除される操作レバーと、台紙無しラベルを移送する移送ローラーと、前記移送ローラーにより移送されてくる前記台紙無しラベルをさらに移送可能な移送用無端ベルトと、前記移送用無端ベルト上に移送されてくる前記台紙無しラベルの幅方向に往復動することにより前記台紙無しラベルを単葉のラベル片に切断可能な切断コマを備えたバースターブラケットと、前記バースターブラケットの前記台紙無しラベルの幅方向への往復動を規制する移動規制部材と、前記操作レバーの握持および解除により前記バースターブラケットを前記台紙無しラベルの幅方向へ往復動させるように、前記バースターブラケットと前記操作レバーとを連動する連動機構と、前記操作レバーに連動し、前記バースターブラケットの切断コマが前記台紙無しラベルの幅方向に前記台紙無しラベルの幅分だけ移動した後に、前記移送ローラーを回転駆動させて前記台紙無しラベルを移送する移送ローラー駆動手段と、を備えた携帯式台紙無しラベル貼付け機である。
【００１２】
前記移送ローラー駆動手段は、前記移送ローラーの側面にその中心から放射状に設けられた複数の移送用突起と、前記移送用突起の一つずつと順次係合可能に前記操作レバーに連結した部材に設けられた移送回動用爪とからなり、前記操作レバーの握持時に前記移送回動用爪が前回係合した前記移送用突起の次の前記移送用突起と係合し、前記操作レバーの解放時に前記移送回動用爪が該係合している前記移送用突起を付勢することにより前記移送ローラーを回転させるように構成されるとともに、前記移送ローラー駆動手段は、前記操作レバーの握持により、前記バースターブラケットの切断コマが前記台紙無しラベルの幅方向に前記台紙無しラベルの幅分だけ移動した後に、前記移送回動用爪が次の前記移送用突起と係合するように構成されたことが好ましい。
【００１３】
また、前記移送ローラー駆動手段の前記複数の移送用突起は、一つ前の前記移送用突起とその次の前記移送用突起との前記移送ローラーの側面の中心の回りに関する間隔が、前記移送回動用爪によって前記移送用突起が付勢されたときに丁度前記ラベル片一枚分だけ前記台紙無しラベルを移送するように前記移送ローラーが回転するような間隔となるように、前記移送ローラーの側面の中心の回りに配置されていることが好ましい。
【発明の効果】
【００１４】
本発明による携帯式台紙無しラベル貼付け機においては、移送ローラー駆動手段が、バースターブラケットの切断コマが台紙無しラベルの幅方向に台紙無しラベルの幅分だけ移動した後でないと、移送ローラーを回転駆動させて台紙無しラベルを移送しないようにしたため、たとえ操作レバーの握り操作を途中で止めても切断不良のラベル片が繰り出されることなく、ラベル貼付操作ミスを防止することができる。
【図面の簡単な説明】
【００１５】
【図１】実施形態の携帯式台紙無しラベル貼付け機１の側面図である。
【図２】用紙ホルダー４及びプラテンユニット６を開放した状態の携帯式台紙無しラベル貼付け機１の側面図である。
【図３】用紙ホルダー４及びプラテンユニット６を開放した状態で一方の側板２を取り除いた状態の携帯式台紙無しラベル貼付け機１の概略側面図である。
【図４】台紙無しラベル３を装填した状態のプラテンユニット６における台紙無しラベル分離装置６９、移送ローラー１８及び押付けエレメント１９の斜視図である。
【図５】プラテンユニット６のプラテンフレーム１７の一部を切り欠いて移送ロール１８及び押付けエレメント１９の構成がわかるように示した斜視図である。
【図６】台紙無しラベル３を装填した状態のプラテンユニット６における台紙無しラベル分離装置６９、移送ローラー１８、押付けエレメント１９及び移送用無端ベルト２３の、逆転防止片５４部分における縦断面図である。
【図７】プラテンユニット６及び台紙無しラベル分離装置６９の分解斜視図である。
【図８】操作レバー５および台紙無しラベル切断装置９の斜視図である。
【図９】台紙無しラベル切断装置９の分解斜視図である。
【図１０】台紙無しラベル切断装置９と移送ローラー１８付近を下方向から見上げた斜視図である。
【発明を実施するための形態】
【００１６】
本発明は、携帯式台紙無しラベル貼付け機の操作レバーと連動した、台紙無しラベルを切断する切断手段と台紙無しラベル搬送手段において、切断手段が台紙無しラベルを完全に切断した後でなければ、台紙無しラベル搬送手段の送りローラーを回転駆動させないで台紙無しラベルを移送しないようにするものである。具体的には、例えば以下説明する実施例のように、切断手段が台紙無しラベルを完全に切断した後でなければ、送りローラーを回転駆動する爪が送りローラーの次の回転を与えるピンに係合しないように構成することにより、たとえ操作レバーの握り操作を途中で止めても印字不良や切断不良のラベル片が繰り出されることなく、ラベル貼付操作ミスを防止することのできる携帯式台紙無しラベル貼付け機を実現した。
【実施例】
【００１７】
次に、本発明の実施例による携帯式台紙無しラベル貼付け機を添付の図面にもとづき説明する。
【００１８】
図１は、本実施形態に係る携帯式台紙無しラベル貼付け機１の側面図である。図１に示すように、携帯式台紙無しラベル貼付け機１は、携帯式台紙無しラベル貼付け機１の本体ケーシングを形成する左右（紙面表裏）一対の側板２と、台紙無しラベル３の用紙ホルダー４と、操作レバー５と、プラテンユニット６と、印字器７と、貼付けローラー８と、台紙無しラベル切断装置（ラベル切断機構）９と、を有している。
【００１９】
左右一対の側板２は、操作者が握持可能なグリップ１０を一体に形成するとともに、このグリップ１０に対してレバー軸１１のまわりに操作レバー５を回動操作可能としている。
【００２０】
なお、操作レバー５とグリップ１０との間には、任意の付勢手段（例えば後述するようなコイルスプリング）を設けて、操作レバー５をグリップ１０に対して、図１に示すような常時（操作レバー５の解放時）離反状態に付勢可能としている。
【００２１】
操作者は、付勢手段の付勢力に抗してグリップ１０および操作レバー５を握持して携帯式台紙無しラベル貼付け機１内のプラテンユニット６、台紙無しラベル切断装置９および印字器７を駆動するとともに、この握持操作を解放後、携帯式台紙無しラベル貼付け機１の貼付けローラー８による台紙無しラベル３の貼付け操作を行うことになる。
【００２２】
台紙無しラベル３は、これをロール状に巻いて用紙ホルダー４のラベル保持軸１５に保持するとともに、操作レバー５の操作にともなって、プラテンユニット６により印字器７方向に帯状に繰り出され、プラテンユニット６の先端部でプラテンユニット６から分離され、分離された台紙無しラベル３は貼付けローラー８により被貼付け体（図示せず）に貼り付け可能としている。
【００２３】
すなわち、台紙無しラベル３は、プラテンユニット６上を移送され、台紙無しラベル切断装置９によって個々のラベル片（図示せず）に切断されて印字器７により印字され、さらにプラテンユニット６の先端部に移送される。貼付けローラー８は、側板２の先端下方部に位置し、プラテンユニット６の移送用無端ベルト（図示せず、後述）から剥離されたラベル片を被貼付け体に貼り付ける。
【００２４】
貼付けローラー８は、側板２の端部に位置し、その円周部の一部が側板２の外部に露出しており、側板２の外部に排出するようにプラテンユニット６及びその移送用無端ベルトを通って側板２の外部に移送されてきたラベル片を、貼付けローラー８を被貼付け体に打ちつけるようにして回転させることにより、被貼付け体に貼り付け可能とする。
【００２５】
用紙ホルダー４は、断面半円弧状のホルダーカバー１４が、側板２の上面に設けたホルダー軸１３の周りに、側板２に対して開閉回動可能であり、このホルダーカバー１４の内部に設けたラベル保持軸１５にロール状の台紙無しラベル３を装填保持可能としている。
【００２６】
プラテンユニット６は、用紙ホルダー４から帯状に繰り出された台紙無しラベル３を、台紙無しラベル切断装置９、印字器７及び貼付けローラー８へと移送するものである。プラテンユニット６は、側板２に設けたプラテン開閉軸２０の回りに回動可能である。詳しくは後述するが、プラテンユニット６の先端部が配置される側板２に設けた開閉用つまみ２６を操作することにより、側板２に対してプラテンユニット６全体を開閉し、台紙無しラベル３の挿通装填を可能としている。
【００２７】
台紙無しラベル切断装置９は、プラテンユニット６の上面に移送されてきた台紙無しラベル３を個々のラベルに切断するものである。台紙無しラベル切断装置９の詳細については後述する。
【００２８】
印字器７は、操作レバー５を操作することにより、インキローラー５０により印字器７の活字にインキが塗布され、プラテンユニット６によってその上面に移送され、台紙無しラベル切断装置９によって個々のラベル片に切断された、台紙無しラベル３に所定の情報を印字する。
【００２９】
図２は、用紙ホルダー４及びプラテンユニット６を開放した状態の携帯式台紙無しラベル貼付け機１の側面図である。なお、図２では、ホルダーカバー１４の内部に設けたラベル保持軸１５に装填保持されたロール状の台紙無しラベル３は図示を省略している。
【００３０】
図２に示すように、ホルダーカバー１４がホルダー軸１３のまわりに側板２に対して回動して、用紙ホルダー４が側板２から開放される。ホルダーカバー１４の内部には、ラベル保持軸１５と側板２への固定用フック１６が設けられている。これにより、ラベル保持軸１５にロール状の台紙無しラベルが装填保持される。
【００３１】
プラテンユニット６は、プラテンユニット６を構成するプラテンフレーム１７が側板２に設けたプラテン開閉軸２０のまわりに回動することにより、側板２に対してその全体が開放される。これにより、台紙無しラベルをプラテンユニット６に対して挿通装填が可能となる。
【００３２】
また、詳しくは後述するが、プラテンフレーム１７は、駆動ギア及び従動コロと、これらのまわりに掛け回した移送用無端ベルトを備えている。図２には従動コロ２２のみが表示されている。さらに、プラテンフレーム１７の先端側の左右には一対の係脱軸２５が突出形成され、係脱軸２５が側板２に設けた開閉用つまみ２６と連動してプラテンユニット６を側板２から開閉するようにしている。
【００３３】
図３は、用紙ホルダー４及びプラテンユニット６を開放した状態で一方の側板２を取り除いた状態の携帯式台紙無しラベル貼付け機１の概略側面図である。
【００３４】
図３に示すように、ホルダーカバー１４がホルダー軸１３のまわりに側板２に対して回動して、台紙無しラベル３を装填した用紙ホルダー４が側板２から開放されている。
【００３５】
さらに図３においては、用紙ホルダー４の図中左横に矢印で示したように、台紙無しラベル３の一部を拡大して表示している。台紙無しラベル３は、ロール状に巻いて用紙ホルダー４のラベル保持軸１５に保持され、操作レバー５の操作にともなってプラテンユニット６により、図３では図示を省略した台紙無しラベル切断装置９及び印字器７（ともに図１参照）の方向に移送される。
【００３６】
このとき台紙無しラベル３には、図３左上に拡大して示すように、所定ピッチで移送用スリット３Ａなどを形成し、プラテンユニット６上を移送する際に、後述する台紙無しラベル切断装置９により、帯状の台紙無しラベル３から単葉のラベル片３Ｂとすることができる。
【００３７】
なお、移送用スリット３Ａに合わせて台紙無しラベル３の両端側から内方部に向かって任意の数の切り目から構成したミシン目３Ｃを形成し、台紙無しラベル切断装置９による切断作用を容易にすることができる。
【００３８】
また、側板２と一体に形成されたグリップ１０に対して、レバー軸１１のまわりに回動操作可能に操作レバー５が設けられており、操作レバー５とグリップ１０との間には付勢手段としてのコイルスプリング１２が設けられ、このコイルスプリング１２によって、操作レバー５の解放時に操作レバー５とグリップ１０とが離反状態となるように操作レバー５が付勢されている。
【００３９】
操作レバー５は、その先端側に二股状のヨーク部５Ａを有し、操作者が操作レバー５を操作すると、このヨーク部５Ａを介して台紙無しラベル切断装置９や印字器７（ともに図１参照）が動作するようにしている。
【００４０】
プラテンユニット６は、前述したように、用紙ホルダー４から帯状に繰り出された台紙無しラベル３をその上面に移送するものであり、プラテンフレーム１７、移送ローラー１８及び押付けエレメント１９等を有し、移送ローラー１８と押付けエレメント１９との間を接離可能とている。
【００４１】
また、プラテンフレーム１７の両端部には、駆動ギア２１及び従動コロ２２とを備え、これら駆動ギア２１及び従動コロ２２の周りに移送用無端ベルト（図示せず）を掛け回して、その上を台紙無しラベル３を移送する。
【００４２】
プラテンフレーム１７の先端側の左右には一対の係脱軸２５が突出形成され、側板２に設けられた開閉用つまみ２６（図１、図２参照）に連動してつまみ軸２７のまわりに回動する開閉用係脱片２８の係脱用凹部２８Ａに係脱可能としてある。ただし、つまみ軸２７には任意のバネ材（図示せず）を設けて、開閉用係脱片２８が係脱軸２５に係合する方向にこれを付勢している。すなわち、開閉用つまみ２６は、係脱軸２５に係脱する開閉用係脱片２８を操作して、プラテンユニット６と開閉用係脱片２８とを互いに係脱可能としている。
【００４３】
移送ローラー１８は、プラテンフレーム１７に設けたローラー軸２９のまわりに移送方向に所定ピッチでこれを回転可能としてある。図３に示すように、操作レバー５のレバー軸１１の下方部に延びる連結アーム３０の連結軸３１に、移送回動用爪３２を往復動可能に取り付けてあり、この移送回動用爪３２が移送ローラー１８におけるローラーギア２４の側面に放射状に設けた複数個の移送用突起３３それぞれに順次係脱可能である。
【００４４】
この移送回動用爪３２及び移送用突起３３が操作レバー５に連動して、移送ローラー１８を回転駆動する移送ローラー駆動手段を構成する。すなわち、操作レバー５をグリップ１０とともに握持及び解放することにより、連結アーム３０、移送回動用爪３２及びローラーギア２４などを介してローラー軸２９のまわりに移送ローラー１８を所定ピッチだけ回転して台紙無しラベル３を移送可能とするとともに、移送ローラー１８のローラーギア２４と駆動ギア２１との連結係合により移送用無端ベルト２３を回転させて台紙無しラベル３をその上面に移送可能である。
【００４５】
押付けエレメント１９は、移送ローラー１８に台紙無しラベル３を押し付けるためのものであり、エレメントフレーム４０と、上下左右二対のバックアップローラー４１の間で中央に位置するバックアップリング４２とを有している。押付けエレメント１９と移送ローラー１８との間に台紙無しラベル３を挿通可能とする隙間４５が形成される。
【００４６】
なお、エレメントフレーム４０は、プラテンフレーム１７の外壁面に設けたエレメント軸４６の周りにプラテンフレーム１７に対して回動可能に連結されており、プラテンユニット６において押付けエレメント１９に対してプラテンフレーム１７を相対的に開閉可能としている。
【００４７】
図４は、台紙無しラベル３を装填した状態のプラテンユニット６における台紙無しラベル分離装置６９、移送ローラー１８及び押付けエレメント１９の斜視図である。
【００４８】
図４に示すように、台紙無しラベル３は、移送ローラー１８と押付けエレメント１９との間に挿通され、プラテンフレーム１７に設けられた移送用無端ベルト２３上を搬送される。そして、図示を省略した台紙無しラベル切断装置９により帯状の台紙無しラベル３から単葉のラベル片３Ｂに切断された後、やはり図示を省略した印字器７により印字され、図に矢印で示したようにラベル片３Ｂが、移送用無端ベルト２３から剥離され側板２（図３参照）の外部に排出される。
【００４９】
プラテンフレーム１７は、前述したように、側板２に設けたプラテン開閉軸２０の周りに回動可能に配置されている。そして、プラテンユニット６は、台紙無しラベル３を移送ローラー１８と押付けエレメント１９との間に挿通するときや、台紙無しラベル３が移送不良、いわゆるジャムリを起こしたときや保守点検などのときに、側板２に対してその全体が開閉されるようにしている。
【００５０】
プラテンフレーム１７は、駆動ギア２１及び従動コロ２２と、これら駆動ギア２１及び従動コロ２２の周りに掛け回した移送用無端ベルト２３とを備えており、駆動ギア２１が移送ローラー１８のローラーギア２４に係合される。
【００５１】
移送用無端ベルト２３は、移送ローラー１８によって移送されてくる台紙無しラベル３をさらに移送可能であって、その表面は、台紙無しラベル３の裏面（糊面）が接触されるため、非粘着性の物性を有するシリコーン、或いはフッ素系のゴム材から構成されるか、又は剥離剤などが塗布されている。
【００５２】
また図４に示すように、押付けエレメント１９は、エレメントフレーム４０と、バックアップリング４２の他に左右一対の板バネ４４及び図示を省略したねじりコイルバネを有している。このねじりコイルバネと左右一対の板バネ４４は、プラテンユニット６が開閉用係脱片２８（図３参照）から離脱したときに、移送ローラー１８と押付けエレメント１９とを互いに離反させる付勢部材として機能し、押付けエレメント１９から移送ローラー１８を離反させ、前述したようにその間に台紙無しラベル３を挿通可能とする隙間４５（図３参照）を形成可能とする。
【００５３】
ただし、プラテンフレーム１７は、係脱軸２５と開閉用係脱片２８（図３参照）との係合により、ねじりコイルバネ及び板バネ４４の付勢力に抗して側板２に取り付けられる。
【００５４】
なお、エレメントフレーム４０は、プラテンフレーム１７の外壁面に設けたエレメント軸４６の周りにプラテンフレーム１７に対して回動可能に連結されており、プラテンユニット６において押付けエレメント１９に対してプラテンフレーム１７を相対的に開閉可能としている。また、エレメントフレーム４０は、バックアップローラー４１及びバックアップリング４２を取り付ける上下一対の回転軸４７を有している。
【００５５】
バックアップローラー４１及びバックアップリング４２は、台紙無しラベル３の裏面（糊面）が接触移送されるため、非粘着性の物性を有するシリコーン、或いはフッ素系のゴム材から構成されるか、剥離剤などが塗布されているもので、台紙無しラベル３を移送ローラー１８側に押し付け可能である。
【００５６】
また、バックアップローラー４１及びバックアップリング４２は、台紙無しラベル３の糊面に線接触するため、糊面との粘着力を極力小さくすることができるとともに、所定のバネ弾性を持った押付けが可能である。
【００５７】
バックアップローラー４１は、移送ローラー１８の移送用爪３８の外周部の外周円周溝３９に接触回転するとともに、バックアップリング４２が、移送ローラー１８の移送用爪３８の内周部の中央円周溝３７に接触回転することにより、移送ローラー１８と押付けエレメント１９との間に台紙無しラベル３を挟持しつつ、また、移送用爪３８が台紙無しラベル３の表面側からその移送用スリット３Ａ（図３参照）に係合し移送ローラー１８の回転によって台紙無しラベル３を移送用無端ベルト２３上に送り出す。
【００５８】
また、図４に示すように、台紙無しラベル分離装置６９は、プラテンユニット６のプラテンフレーム１７に回動可能に設けた分離爪エレメント４９を有している。分離爪エレメント４９は、移送ローラー１８と移送用無端ベルト２３との間に配置されるとともに、押付けエレメント１９によって移送ローラー１８に押し付けられていた台紙無しラベル３を移送ローラー１８から確実に分離可能とし、移送ローラー１８と移送用無端ベルト２３との間において台紙無しラベル３を移送ローラー１８から移送用無端ベルト２３に移行させる。
【００５９】
分離爪エレメント４９は、左右一対の回動アーム５０及びその間の横断アーム５１を有している。また、分離爪エレメント４９は、移送ローラー１８の中央円周溝３７に移送用爪３８と同じ所定ピッチで形成された逆転防止凹部５８それぞれに係脱可能な逆転防止片５４を有している。
【００６０】
また、プラテンフレーム１７におけローラー軸２９（図３参照）の近傍には、回動用凹部５７が形成されている。また、プラテンフレーム１７には、爪エレメント係脱孔部５９が形成されている。
【００６１】
図５は、プラテンユニット６のプラテンフレーム１７の一部を切り欠いて移送ローラー１８及び押付けエレメント１９の構成がわかるように示した斜視図である。なお、図５では、台紙無しラベル３は省略している。
【００６２】
図５では、プラテンフレーム１７の一部を切り欠くことにより、いままで見えていなかったいくつかの部材が見えるようにしている。まず、押付けエレメント１９は、プラテンユニット６が開閉用係脱片２８（図３参照）から離脱したときに、左右一対の板バネ４４とともに、移送ローラー１８と押付けエレメント１９とを互いに離反させる付勢部材として機能するねじりコイルバネ４３を有している。
【００６３】
ねじりコイルバネ４３は、移送ローラー１８と押付けエレメント１９との間において、隙間４５（図３参照）から側方にずれた位置に設けられたバネ取付け軸（図示せず）に取り付けられており、プラテンフレーム１７（プラテンユニット６）全体を押付けエレメント１９に対して常時解放方向（図３参照）に付勢する。
【００６４】
板バネ４４は、移送ローラー１８とは反対側のエレメントフレーム４０の背面に取り付けられており、操作レバー５（図３参照）のレバー軸１１（図３参照）部分に当接して、ねじりコイルバネ４３と協動して、プラテンフレーム１７（プラテンユニット６）全体を押付けエレメント１９に対して常時解放方向（図３参照）に付勢する。
【００６５】
また、台紙無しラベル分離装置６９の分離爪エレメント４９（図４参照）の左右一対の回転アーム５０の先端に、回動突起５６が形成されている。この回動突起５６は、プラテンフレーム１７におけるローラー軸２９近傍に形成された回動用凹部５７（図４参照）と係合する。
【００６６】
また、前述したように操作レバー５のレバー軸１１の下方部に延びる連結アーム３０の連結軸３１（いずれも図３参照）に往復動可能に取り付けられた移送回動用爪３２が、移送ローラー１８のローラーギア２４の側面に放射状に設けられた複数個の移送用突起３３それぞれに係脱可能としている。
【００６７】
この移送回動用爪３２が往復動作することにより移送用突起３３との係合・離脱を繰り返して、ローラーギア２４及び移送ローラー１８を回転させることにより台紙無しラベル３を所定ピッチずつ移送する。
【００６８】
なお、図５におけるその他の要素については、図４と同じであり、すでに説明しているので、説明を省略する。
【００６９】
図６は、台紙無しラベル３を装填した状態のプラテンユニット６における台紙無しラベル分離装置６９、移送ローラー１８、押付けエレメント１９及び移送用無端ベルト２３の、逆転防止片５４部分における縦断面図である。
【００７０】
図６に示すように、逆転防止片５４は、移送ローラー１８に所定ピッチで設けられた逆転防止凹部５８それぞれに係脱可能であり、移送ローラー１８（ローラーギア２４）がローラー軸２９の周りに図で反時計回りに回転するのを防止している。
【００７１】
また、押付けエレメント１９のエレメントフレーム４０は、バックアップリング４２を取り付けるための上下一対の回転軸４７、４７を有している。バックアップリング４２は、バックアップリング４２と移送ローラー１８との間に挿通される台紙無しラベル３を移送ローラー１８側に押し付けて、移送ローラー１８の回転に伴い台紙無しラベル３を移送する。
【００７２】
また図６に示すように、駆動ギア２１及び従動コロ２２のまわりに移送用無端ベルト２３が掛け回されている。この移送用無端ベルト２３は、台紙無しラベル切断装置９（図１参照）による台紙無しラベル３の切断の切断動作の受け台及び印字器７（図１参照）による台紙無しラベル３への押印動作の受け台となるもので、台紙無しラベル切断装置９及び印字器７の位置において移送用無端ベルト２３の内側にはそれぞれ受圧用プレート２３Ａが配置されている。
【００７３】
移送用無端ベルト２３上を搬送された台紙無しラベル３は、図示を省略した台紙無しラベル切断装置９により帯状の台紙無しラベル３から単葉のラベル片３Ｂに切断され、図示を省略した印字器７により印字された後、従動コロ２２の位置で移送用無端ベルト２３から剥離され外部に排出される。
【００７４】
図７は、プラテンユニット６及び台紙無しラベル分離装置６９の分解斜視図である。
【００７５】
図７に示すように、操作レバー５のレバー軸１１の下方部に延びる連結アーム３０の連結軸３１に、移送回動用爪３２が取り付けられている。この移送回動用爪３２は移送ローラー１８のローラーギア２４の側面に設けられた複数個の移送用突起３３にそれぞれ係脱される。
【００７６】
なお、連結軸３１には、連結ガイドプレート３４が取り付けられており、連結ガイドプレート３４の左右先端部の連結突起３５が、プラテンフレーム１７の底部におけるガイド溝３６内に往復摺動可能に嵌め込まれ、操作レバー５の握持及びその解放に伴う連結軸３１及び移送回動用爪３２の往復作動を保証している。
【００７７】
すなわち、操作レバー５を握持すると連結アーム３０の連結軸３１に取り付けられた移送回動用爪３２が、連結アーム３０の動きに伴って後退し、一つ後の（図で反時計回りに一つ後の）移送用突起３３と係合する。そして、操作レバー５を解放すると、コイルスプリング１２（図３）の付勢力により連結アーム３０が前方（斜め下方）に移動し、それに伴い移送回動用爪３２が係合している移送用突起３３を前方に押し出すことにより移送ローラー１８が移送用突起３３一つ分だけ図で時計回りに回転し、これによりラベル片３Ｂ一枚分だけ台紙無しラベル３が移送される。
【００７８】
また、台紙無しラベル分離装置６９は、プラテンユニット６のプラテンフレーム１７に回動可能に設けた分離爪エレメント４９を有する。この分離爪エレメント４９は、移送ローラー１８と移送用無端ベルト２３との間に配置されるとともに、押付けエレメント１９によって移送ローラー１８に押し付けられていた台紙無しラベル３を移送ローラー１８から確実に分離可能とし、移送ローラー１８と移送用無端ベルト２３との間において台紙無しラベル３を移送ローラー１８から移送用無端ベルト２３に移行させる。
【００７９】
分離爪エレメント４９は、左右一対の回動アーム５０及びその間の横断アーム５１を有する爪エレメント本体５２と、横断アーム５１から移送ローラー１８に向かって突出形成した左右一対の分離爪片５３と、分離爪片５３に対してほぼ直角方向に分離爪片５３の間に形成した逆転防止片５４と、回動アーム５０の基部に弾性的に形成した爪エレメント係合片５５と、を有する。分離爪エレメント４９の回動アーム５０の先端部には回動突起５６が形成され、この回動突起５６は、プラテンフレーム１７の回動用凹部５７に回動可能に係合される。
【００８０】
なお、プラテンユニット６、移送ローラー１８及び押付けエレメント１９等の構成についてはすでに説明したのでここでは説明を省略する。
【００８１】
次に、携帯式台紙無しラベル貼付け機１の台紙無しラベル切断装置９について図８および図９を参照して説明する。図８は、操作レバー５および台紙無しラベル切断装置９の斜視図であり、図９は、台紙無しラベル切断装置９の分解斜視図である。
【００８２】
台紙無しラベル切断装置９は、図８に示すように、操作レバー５と連動する連動機構７２を有している。連動機構７２は、側板２（図３参照）に固定した縦レール部材７３（第１のレール部材）と、操作レバー５に連結するとともに縦レール部材７３に沿って往復動する連結プレート７４と、リンクバー７５と、横レール部材７７（第２のレール部材）とを有している。なお、操作レバー５はレバー軸１１のまわりに回動操作可能であり、レバー軸１１の下方部に延びる連結アーム３０には連結軸３１が設けられている。
【００８３】
また、図９に示すように、リンクバー７５と連結するとともに横レール部材７７に沿って往復動するバースターブラケット７６が設けられている。バースターブラケット７６には、切断コマ７１が回転自在に取り付けられている。切断コマ７１は、移送用無端ベルト２３（図４参照）上に移送されてくる台紙無しラベル３の幅方向に、図３に示す移送用スリット３Ａ及びミシン目３Ｃに沿って往復動することにより台紙無しラベル３を単葉のラベル片３Ｂに切断可能である。
【００８４】
切断コマ７１の材料としては、所定の剛性及び非粘着性を有することが望ましく、例えばポリアセタール（ＰＯＭ）を採用可能であり、必要であればシリコーンやフッ素系のコーティング剤（剥離剤）などを塗布したポリカーボネート（ＰＣ）やアクリルニトリル・ブタジエン・スチレン（ＡＢＳ）なども採用することができる。
【００８５】
縦レール部材７３は、一方の側板２の内壁面にこれを固定してあり、図９に示すように、その中央部に縦ガイド溝７８を形成し、この縦ガイド溝７８内に連結プレート７４を上下往復動可能に組み付けている。
【００８６】
連結プレート７４は、図８に示すように、操作レバー５に連結しているとともに、縦レール部材７３に沿って往復動するもので、操作レバー５の一方のヨーク部５Ａに形成したヨーク連結孔７９に嵌め込む連結ピン８０を有するとともに、図９に示すように、リンク連結孔８１を形成して、このリンク連結孔８１にリンクバー７５の連結ピン８２を嵌め込み、操作レバー５（ヨーク部５Ａ）からの駆動力をリンクバー７５に伝達可能とする。
【００８７】
リンクバー７５は、連結プレート７４とバースターブラケット７６とに連結しているとともに、縦レール部材７３と横レール部材７７との間に傾斜した姿勢の状態で連結プレート７４の往復動に応じて動作するもので、連結ピン８２とは反対側の端部に左右一対のブラケット連結ピン８３を設けている。
【００８８】
バースターブラケット７６は、移送用無端ベルト２３の幅方向に沿って往復動可能であるとともに、切断コマ７１を回転自在に取り付けてあり、ブラケット本体８４と、左右一対の支点ピン８５と、左右一対の姿勢規制ピン８６と、左右一対の弾性突起８７とを有する。
【００８９】
ブラケット本体８４には、バー連結孔８８が形成され、このバー連結孔８８にリンクバー７５のブラケット連結ピン８３を嵌め込んで、ブラケット本体８４にリンクバー７５が連結される。したがって、リンクバー７５を縦レール部材７３および横レール部材７７の間に傾斜した状態で稼働させることにより、バースターブラケット７６（切断コマ７１）を台紙無しラベル３の幅方向に往復動させることができる。
【００９０】
横レール部材７７は、バースターブラケット７６を台紙無しラベル３の幅方向にガイドするとともにその動作範囲を規制するもので、縦レール部材７３に対して直角に移送用無端ベルト２３（図４参照）の上部に位置するように移送用無端ベルト２３の幅方向に沿ってこれを配置し、バースターブラケット７６の支点ピン８５および姿勢規制ピン８６が案内されるガイド窓８９をその左右側壁面に開口形成している。
【００９１】
すなわち、支点ピン８５および姿勢規制ピン８６は、横レール部材７７に形成したガイド窓８９に沿って移動可能である。姿勢規制ピン８６は、図９に示すように、ガイド窓８９の上方内壁面８９Ａ及び下方内壁面８９Ｂに接離してバースターブラケット７６の姿勢、ないし切断コマ７１の台紙無しラベル３に対する接離（押付けおよび離反）態勢を規制する。
【００９２】
さらに、横レール部材７７の底面部には、移送用無端ベルト２３の幅方向に沿って姿勢制御窓（図示せず）を開口形成している。なお、特に図８に示すように、横レール部材７７の底部にはラベル押付け部材９１を固定し、このラベル押付け部材９１の底部に取り付けたラベル押付けプレート（図示せず）により台紙無しラベル３を移送無端ベルト２３の上面方向に押し付けて台紙無しラベル３の浮き上がりを防止し、これにより台紙無しラベル切断装置９による台紙無しラベル３の切断作用を確実化している。
【００９３】
すなわち、操作レバー５およびグリップ１０が握持されると、ヨーク部５Ａからの駆動力が連結プレート７４からリンクバー７５に伝達され、姿勢規制ピン８６が支点ピン８５のまわりに時計方向にわずかに回動して、下方内壁面８９Ｂに当接し、切断コマ７１が移送用無端ベルト２３上の台紙無しラベル３より下方に入り込むことができるレベル位置に下がり、操作レバー５およびグリップ１０のさらなる握持により、切断コマ７１を有するバースターブラケット７６が横レール部材７７のガイド窓８９内を移動し始め、台紙無しラベル３が切断し始められる。
【００９４】
操作レバー５およびグリップ１０のさらなる握持により操作レバー５からの駆動力の伝達により、連結プレート７４が縦レール部材７３の縦ガイド溝７８内を下降し、リンクバー７５を介してバースターブラケット７６が横レール部材７７のガイド窓８９の端まで移動し、切断コマ７１が、移送用無端ベルト２３（図４）の幅方向に沿って移動し、台紙無しラベル３の移送用スリット３Ａおよびミシン目３Ｃ（図３参照）の部分を破断させて、台紙無しラベル３を単葉のラベル片３Ｂに切断する。
【００９５】
操作レバー５およびグリップ１０を完全に握りきった状態で、切断コマ７１が台紙無しラベル３を切断しきった後、つぎの操作レバー５の解放操作をまつことになる。操作レバー５を解放すると、コイルスプリング１２（図３）により連結プレート７４に対して上向きの力が作用し、この力により連動機構７２を介して切断コマ７１が台紙無しラベル３から離反し始める。
【００９６】
したがって、操作レバー５の解放時には、移送ローラー１８により台紙無しラベル３が所定ピッチで移送されるとともに、移送用無端ベルト２３上に台紙無しラベル３が同ピッチで移送される最中、すなわち、台紙無しラベル３自体が移送用無端ベルト２３上を移動している最中であり、この移動中には、切断コマ７１が台紙無しラベル３とは接触ないし干渉せず、台紙無しラベル３の移送用無端ベルト２３上での移送に支障がないようにしている。
【００９７】
かくして、連動機構７２は、操作レバー５の握持操作時に、台紙無しラベル３を切断可能とし、操作レバー５の解除操作時に、台紙無しラベル３を移送用無端ベルト２３上において移送可能とする。さらに連動機構７２は、切断コマ７１の往動切断動作時には、切断コマ７１を台紙なしラベル３に所定の押圧力で押し付け可能であるとともに、切断コマ７１の復動非切断動作時には、切断コマ７１を台紙無しラベル３から離反可能とする。換言すれば、操作レバー５の握持により連動機構７２を介して切断コマ７１を台紙無しラベル３の幅方向に往動させて、台紙無しラベル３を切断可能である。
【００９８】
図１０は、台紙無しラベル切断装置９と移送ローラー１８付近を下方向から見上げた斜視図である。
【００９９】
前述したように、操作レバー５（図８）の握持操作に連動して、台紙無しラベル切断装置９の切断コマ７１が横レール部材７７内を台紙無しラベル３の幅方向に移動し、台紙無しラベル３を単葉のラベル片３Ｂに切断する。また、一方で、同じく操作レバー５の握持操作に連動して、連結アーム３０の連結軸３１に取り付けられた移送回動用爪３２が、移送ローラー１８の側面に放射状に設けられた移送用突起３３に係合し、移送回動用爪３２が移送用突起３３を付勢することにより、移送ローラー１８が回転して台紙無しラベル３がラベル片３Ｂ（図４）一枚分移送される。
【０１００】
ここで、前述したように、操作レバー５を握持すると連結アーム３０の連結軸３１に取り付けられた移送回動用爪３２が、連結アーム３０の動きに伴って後退しながら斜め上方に移動して、一つ後の（図で反時計回りに一つ後の）移送用突起３３と係合する。そして、操作レバー５を解放すると、コイルスプリング１２（図３）の付勢力により連結アーム３０が前進しながら斜め下方に移動し、それに伴い移送回動用爪３２が、係合している移送用突起３３を前方に押し出すことにより移送ローラー１８が移送用突起３３一つ分だけ図で時計回りに回転する。このように移送ローラー１８が回転することにより、台紙無しラベル３が前方（図の左方向）にラベル片３Ｂ一枚分だけ移送される。
【０１０１】
このとき、本発明においては、移送回動用爪３２が移送用突起３３に係合するタイミングが、台紙無しラベル切断装置９の切断コマ７１が横レール部材７７内を台紙無しラベル３の幅方向に移動し、台紙無しラベル３からラベル片３Ｂを一枚完全に切断した後となるように構成されている。
【０１０２】
すなわち、操作レバー５を握持して台紙無しラベル切断装置９の切断コマ７１が横レール部材７７内を台紙無しラベル３の幅方向に移動し、台紙無しラベル３からラベル片３Ｂを一枚完全に切断した直後に、移送回動用爪３２が移送用突起３３に係合するよう移送回動用爪３２の連結アーム３０の連結軸３１に対する取り付けが調整されている。
【０１０３】
これにより、操作レバー５を完全に握持して、少なくとも切断コマ７１が台紙無しラベル３の幅分だけ横移動した後でなければ、移送ローラー１８を回転駆動させる移送回動用爪３２が次の移送用突起３３に係合しないようにしている。従って、操作レバー５を半握りしただけでは、移送回動用爪３２が次の移送用突起３３に係合しないため、操作レバー５を半握りした後で操作レバー５を解放しても移送回動用爪３２が移送用突起３３を付勢することができないので、移送ローラー１８は回転せず台紙無しラベル３は移送されないため、ラベル片３Ｂは発行されない。
【０１０４】
その結果、誤って操作レバー５を半握りした場合でも、台紙無しラベル３が完全に切断されていなければ台紙無しラベル３は移送されないので、ラベル片３Ｂに一枚一枚切り離されたラベル片３Ｂしか発行されないため、貼り付けミスが発生することが防止される。
【０１０５】
以上説明したように、本実施形態の携帯式台紙無しラベル貼付け機によれば、バースターブラケットの切断コマが台紙無しラベルの幅分だけ横移動して台紙無しラベルを完全に切断した後でなければ、移送ローラーを回転駆動させる移送回動用爪が次の移送用突起に係合しないようにしているため、誤って操作レバーを半握りした場合でも、一枚一枚切り離されたラベル片しか発行されないため、貼り付けミスの発生を防止することが可能となる。
【符号の説明】
【０１０６】
１  携帯式台紙無しラベル貼付け機（図１）
２  左右一対の側板
３  台紙無しラベル
３Ａ  台紙無しラベル３の移送用スリット（図３）
３Ｂ  台紙無しラベル３の単葉のラベル片
３Ｃ  台紙無しラベル３のミシン目
４  用紙ホルダー
５  操作レバー
５Ａ  操作レバー５の二股状のヨーク部
６  プラテンユニット（図４）
７  印字器
８  貼付けローラー
９  携帯式台紙無しラベル貼付け機１の台紙無しラベル切断装置（実施例、図８、図９）
１０  グリップ
１１  レバー軸
１２  コイルスプリング
１３  ホルダー軸
１４  ホルダーカバー
１５  ラベル保持軸
１６  固定用フック
１７  プラテンフレーム（図４）
１８  移送ローラー
１９  押付けエレメント（図４）
２０  プラテン開閉軸
２１  駆動ギア
２２  従動コロ
２３  移送用無端ベルト
２４  ローラーギア
２５  係脱軸
２６  開閉用つまみ
２７  つまみ軸
２８  開閉用係脱片
２８Ａ  開閉用係脱片２８の係脱用凹部
２９  ローラー軸
３０  連結アーム
３１  連結軸
３２  移送回動用爪
３３  移送ローラー１８の移送用突起
３４  連結ガイドプレート
３５  連結ガイドプレート３４の左右先端部の連結突起
３６  ガイド溝
３７  中央円周溝
３８  移送用爪
３９  外周円周溝
４０  エレメントフレーム
４１  上下左右二対のバックアップローラー
４２  バックアップリング
４３  ねじりコイルバネ
４４  左右一対の板バネ
４５  間隙
４６  エレメント軸
４７  上下一対の回転軸
４９  分離爪エレメント
５０  インキローラー
５１  横断アーム
５２  爪エレメント本体
５３  左右一対の分離爪片
５４  逆転防止片
５５  爪エレメント係合片
５６  回動突起
５７  回動用凹部
５８  逆転防止凹部
５９  爪エレメント係脱孔部
６９  台紙無しラベル分離装置
７１  切断コマ
７２  連動機構
７３  縦レール部材（第１のレール部材）
７４  連結プレート
７５  リンクバー
７６  バースターブラケット
７７  横レール部材（第２のレール部材）
７８  縦ガイド溝
７９  ヨーク連結孔
８０  連結ピン
８１  リンク連結孔
８２  連結ピン
８３  左右一対のブラケット連結ピン
８４  ブラケット本体
８５  左右一対の支点ピン
８６  左右一対の姿勢規制ピン
８７  左右一対の弾性突起
８８  バー連結孔
８９  ガイド窓
８９Ａ  上方内壁面
８９Ｂ  下方内壁面
９１  ラベル押付け部材
【図１】
2013075703.tif 000003
【図２】
2013075703.tif 000004
【図３】
2013075703.tif 000005
【図４】
2013075703.tif 000006
【図５】
2013075703.tif 000007
【図６】
2013075703.tif 000008
【図７】
2013075703.tif 000009
【図８】
2013075703.tif 000010
【図９】
2013075703.tif 000011
【図１０】
2013075703.tif 000012